(57)【要約】【目的】ゴーグルレンズが曇らないゴーグルであって、工場作業の安全性を確保するとともに、装着感の良いゴーグルを提供すること。【解決手段】ゴーグル１は、透明な高分子樹脂材料からなるゴーグルレンズ２と、作業者の顔に当てるゴーグルレンズパッド３と、ゴーグルレンズ２を保持するとともに、ゴーグルレンズパッド３が取り付けられるゴーグルレンズフレーム４と、レンズ内側部分に外気を送る送風装置６と、送風装置６とレンズ内側部分とを連結する中空の送風チューブ７等により構成する。送風チューブ７の一端をゴーグルレンズパッド３の上側位置（眼の上側）に形成される連結孔１３に連結し、その他端を送風装置６に連結する。ゴーグルレンズフレーム４とゴーグルレンズ２との間には空気抜き用ギャップ１４を形成する。【選択図】図１
2007075384.tif 000002
【特許請求の範囲】
【請求項１】
透明な高分子樹脂材料からなるゴーグルレンズと、
前記ゴーグルレンズを作業者の眼の前方に装着するために顔に当てるゴーグルレンズパッドと、
前記ゴーグルレンズを保持するとともに、前記ゴーグルレンズパッドが取り付けられるゴーグルレンズフレームと、
前記ゴーグルレンズフレームの両端部に取り付けられるストラップと、
前記ゴーグルレンズと前記眼との間のレンズ内側部分に外気を送る送風手段であって、前記ゴーグルレンズ、前記ゴーグルレンズパッド及び前記ゴーグルレンズフレーム以外の部分で支持される送風手段と、
前記送風手段と前記レンズ内側部分とを連結する中空の送風チューブと、
を備え、
前記送風チューブは、その一端が、前記ゴーグルレンズパッド又は前記ゴーグルレンズフレームに形成される連結孔であって前記眼の上側位置に形成される連結孔に連結され、その他端が前記送風手段に連結されるとともに、
前記ゴーグルレンズフレームと前記ゴーグルレンズとの間には空気抜き用ギャップが形成されていることを特徴とするゴーグル。
【請求項２】
前記送風チューブは、その開口端面が前記ゴーグルレンズと対向していることを特徴とする請求項１に記載のゴーグル。
【発明の詳細な説明】
【技術分野】
【０００１】
本発明は、ゴーグルに関し、更に詳しくは、プリント基盤のメッキ用装置のメンテナンス作業を安全に行うためのゴーグルに関する。
【背景技術】
【０００２】
プリント基板のメッキ用装置のメンテナンス作業では各種の薬品を用いるため、その薬品から眼を守る必要がある。そのため、作業者は、ゴーグルを装着して作業を行う。特に、ゴーグルとしては、顔面とゴーグルレンズとの間の隙間から粉塵や飛沫が入ることを防止するために覆いがしてあるものが用いられる。
【発明の開示】
【発明が解決しようとする課題】
【０００３】
しかしながら、工場の中は、湿度や温度が高くなり、人間の体温や汗等も影響して、ゴーグルレンズが曇るという問題があった。このため、作業者はゴーグルレンズが曇る度にゴーグルを外して曇りを拭いてから、再度ゴーグルを装着していた。すると、その取外しの間は、作業が中断するという問題があった。また、その間に薬品が眼に入ったり、薬品が着いた手で眼をこすったりするという問題もあった。
【０００４】
一方、この種のゴーグルとしては、特許文献１，２に開示されたものが周知である。特許文献１に開示の換気装置を有するゴーグルは、図５に示したようにゴーグルレンズの上部にモータ５０が設置され、これによって、ゴーグルの内部空気を吸入して強制的に排気する仕組みをとる。しかしながら、このような仕組みでは、モータ５０まで作業者の目の上部分に設置される関係上、視界にモータ５０が入り、髪の毛等にも空気が直接当たる等、ゴーグルの装着感が悪いという問題がある。また、モータ５０がゴーグルレンズに取り付けられていると、その回転の音が直接脳に伝わり気になったり、ゴーグルの重さが重くなる結果、作業者が疲れやすいという問題がある。
【０００５】
また、特許文献２には、曇り止め機構を持つ保護マスクが開示されている。この保護マスクは、防塵のための眼鏡６１とマスク６２を組み合わせ、それぞれ空間的に独立した二室に分け、呼吸の吸気を利用して外気を眼鏡部内に導き、吸気弁を設けて逆流しないようにマスク部内に流し、呼気は排気弁より外部に放出するという仕組みによるものである。しかしながら、この保護マスクは、眼鏡とマスクを組み合わせる必要があり、装着感が悪く、呼吸がしにくいという問題がある。
【０００６】
このように、先行技術には種々のゴーグルが開示されているが、問題点があり、工場におけるメッキ装置のメンテナンス作業に好適なゴーグルは存在していなかった。
【０００７】
【特許文献１】特許第２８９２９９２号公報
【特許文献２】特開平１１−２９０４７３号公報
【０００８】
本発明は、上記問題点に鑑みてなされたものであり、その目的は、ゴーグルレンズが曇らないゴーグルを提供することにある。
また、本発明の他の目的は、工場作業の安全性を確保するとともに、装着感の良いゴーグルを提供することにある。
【課題を解決するための手段】
【０００９】
上記課題を解決するために、本発明に係るゴーグルは、透明な高分子樹脂材料からなるゴーグルレンズと、前記ゴーグルレンズを作業者の眼の前方に装着するために顔に当てるゴーグルレンズパッドと、前記ゴーグルレンズを保持するとともに、前記ゴーグルレンズパッドが取り付けられるゴーグルレンズフレームと、前記ゴーグルレンズフレームの両端部に取り付けられるストラップと、前記ゴーグルレンズと前記眼との間のレンズ内側部分に外気を送る送風手段であって、前記ゴーグルレンズ、前記ゴーグルレンズパッド及び前記ゴーグルレンズフレーム以外の部分で支持される送風手段と、前記送風手段と前記レンズ内側部分とを連結する中空の送風チューブと、を備え、前記送風チューブは、その一端が、前記ゴーグルレンズパッド又は前記ゴーグルレンズフレームに形成される連結孔であって前記眼の上側位置に形成される連結孔に連結され、その他端が前記送風手段に連結されるとともに、前記ゴーグルレンズフレームと前記ゴーグルレンズとの間には空気抜き用ギャップが形成されていることを特徴とするものである。
【００１０】
この場合に、前記送風チューブは、その開口端面が前記ゴーグルレンズと対向していることが望ましい。送風チューブを通じて送られてくる外気が直接人間の眼にあたらないため、眼の乾きが防止されるからである。
【発明の効果】
【００１１】
上記構成を備えた本発明に係るゴーグルは、送風手段から送風チューブを通じて送られる外気がゴーグルレンズパッド等に形成された連結孔を通って、レンズ内側部分に送られる。また、レンズ内側部分の残留空気は、空気抜き用ギャップから外へ逃される。そのため、本発明に係るゴーグルは、換気が常時なされるため、ゴーグルレンズが曇らないという効果がある。
【００１２】
また、本発明に係るゴーグルは、ゴーグルレンズが曇らないため、曇りを拭くためのゴーグル脱着が不要となり、曇りによる視界の悪化が防止されるので、工場作業の安全性を確保することができるという効果がある。
また、本発明に係るゴーグルは、送風手段がゴーグルレンズ、ゴーグルレンズパッド及びゴーグルレンズフレーム以外の部分で支持されるため、送風手段の重みが作業者の頭部に掛からないため、装着感の良さが担保されるという効果がある。
更に、本発明に係るゴーグルは、送風チューブの開口端面がゴーグルレンズと対向しているため、送風チューブを通じて送られてくる外気が直接レンズ面に当たるため、効率よくレンズの曇りを防止することができる。また、人の眼に直接送風が当たることがないため、眼の乾きも防止される。
【発明を実施するための最良の形態】
【００１３】
以下に、図面を参照して、本発明を実施するための形態について説明する。
図１は、本発明の一実施形態に係るゴーグル１の全体を示した斜視図である。同図に示したように、ゴーグル１は、ゴーグルレンズ２と、ゴーグルレンズパッド３と、ゴーグルレンズフレーム４と、ストラップ５と、送風装置６と、送風チューブ７とからなる。
【００１４】
ゴーグルレンズ２は、硬質の透明な高分子樹脂材料によって形成されている。ゴーグルレンズパッド３は、ゴーグルレンズ２を作業者の眼の前方に装着するために顔に当てるものである。また、ゴーグルレンズパッド３は、ゴーグルレンズ２と作業者の眼との間のレンズ内側部分（以下単に「レンズ内側部分」という。）から飛沫や粉塵等が入ってくるのを防止するものである。そのため、ゴーグルレンズパッド３は、顔面の曲線に合わせて形成され、ゴーグルレンズ２の周囲に起立した態様で設けられる。また、ゴーグルレンズパッド３の材質は、可撓性の孔のない高分子樹脂材料若しくは孔があったとしても飛沫や粉塵等が入ってこない程度の大きさの孔の高分子樹脂材料が採用される。
【００１５】
ゴーグルレンズフレーム４は、ゴーグルレンズ２を保持するとともに、ゴーグルレンズパッド３が取り付けられ、更に、その両端には、作業者が着脱の際に用いるストラップ５が取り付けられている。ゴーグルレンズフレーム４は、ゴーグルレンズパッド３とは取外し不能に予め接着又は圧着されている。ストラップ５は、伸縮性のある素材からなり、ゴーグルレンズフレーム４の両端部に形成されたストラップ取付部８に一端を通して当該ストラップ５に縫いつけられている（図３のＣ部分参照）。
【００１６】
図２（ａ）に示した送風装置６は、毎分１．８リットルの送風能力があるものが用いられる。これによれば、アルカリ乾電池（単三型）二個で１日〜２日の連続操業ができる。送風装置６は、駆動部９と、円盤状の送風部１０と、スイッチ１１等からなる。同図（ｂ）は駆動部９の構成を分かりやすく示したものであるが、その軸１２は、同図（ｂ）のように折り曲げられた形状である。送風装置６の送風能力は、毎分１．８リットルに限定されるものではない。例えば、作業者が眼鏡を着用している場合には、その眼鏡の曇りを防止するためにも、送風能力の高いもの（例えば、毎分２．２リットル）が用いられる。
送風装置６は、軸１２が送風部１０に連結され、その円盤部分が軸１２の回転に併せて（図示の状態では左右に）振動し、空気流が発生する仕組みである。空気流は作業者が作業をしている所の外気によるものとなるが、この点は重要である。その理由は、ゴーグルレンズ２の曇りを防止するためには、レンズ内側部分と外気との温度や湿度等が同条件であればよいからである。
【００１７】
送風装置６は、作業者の胸ポケットや、ヘルメット等のゴーグルレンズ２、ゴーグルレンズパッド３及びゴーグルレンズフレーム４以外の部分で支持される。送風装置６を頭部に装着すると、駆動部９や送風部１０の音や震動が気になりやすいため、これを防止するためである。
【００１８】
送風チューブ７は、送風装置６とレンズ内側部分とを連結する中空のチューブである。送風チューブ７は、可撓性ある高分子樹脂製の直径数ミリサイズのチューブである。図３に示したように、送風チューブ７の先端には硬質の高分子樹脂製の送風チューブ７ａが取り付けられている。送風チューブ７ａは、ゴーグルレンズパッド３の連結孔１３に貫通している。送風チューブ７は、作業者の眼の位置から、胸ポケットに達する程度の長さ（３０ｃｍ〜６０ｃｍ程度）は必要となる。そのため、送風チューブ７は、作業者にとって邪魔にならないようストラップ５の縫いつけ部分（Ｃ部分参照）のところに挿通させている。
【００１９】
連結孔１３は、作業者の眼の上の部分であって、視界に入らない位置に来るように形成されている。送風チューブ７は、その開口端面がゴーグルレンズ２のレンズ面に対向して取り付けられる。そのため、送り込まれた外気そのものををゴーグルレンズ２に直接当てることができる。そのため、ゴーグルレンズ２の曇りが効果的に防止され、その送風が直接顔面に当たることも回避される。
【００２０】
図４は、空気抜き用ギャップ１４を説明するための図である。空気抜き用ギャップ１４は、ゴーグルレンズフレーム４とゴーグルレンズ２との間に形成された外気との換気用の溝であり０．５ｍｍ〜５ｍｍ程度の幅の溝である。図４（ａ）は、図１の矢示Ａ部分を断面によって示したものであり、図４（ｂ）は、図１の矢示Ｂ部分を断面によって示したものである。図４において、矢示点線は残留空気の流れの方向を示している。
【００２１】
このように、ゴーグルレンズ２とゴーグルレンズフレーム４との間には空気抜き用ギャップ１４が形成されているため、外気を送風装置６によってゴーグルレンズ２と眼との間に送り込んでも、残留空気を外へ放出させることができる。送り込んだ外気の一部は、そのまま空気抜き用ギャップ１４から外へ放出されることも起こり得るが、新たな外気が送風チューブ７から送られている限り、ゴーグルレンズ２の曇りは解消されるため、問題とはならない。
【００２２】
本発明の一実施形態に係るゴーグル１は次のようにして用いる。作業者が送風装置６を胸ポケットに入れ、ストラップ５を広げてゴーグルレンズパッド３を顔の所定の位置に当て、ストラップ５を頭部周りに固定する。そして、送風装置６のスイッチを入れる。送風装置６により送られる外気は、送風チューブ７を通ってレンズ内側部分に流入し、ゴーグルレンズ２に直接当たる。そして、空気抜き用ギャップ１４から残留空気が放出されるので、レンズ内側部分の換気がなされる。そのため、ゴーグルレンズ２が曇らない。また、送風装置６は胸ポケットに入れるため、重量が作業者の頭部にかからず、送風チューブ７が貫通する連結孔１３は作業者の視界に入らない。そのため、作業者は快適に作業が可能となる。
【００２３】
以上本発明に係るゴーグルについて説明したが、本発明は上記の実施形態に何ら限定されるものではない。連結孔１３は作業者の眼の上側が好適であるが、これに限定されるものではない。側方でも下側でも可能である。また、送風装置６は、ベルトに装着するタイプのものでもよい。電源としては、充電式のタイプのものを用いてもよい。また、送風チューブ７には外気中の飛沫や粉塵を除去するためのフィルターを取り付けてもよい。
【産業上の利用可能性】
【００２４】
本発明に係るゴーグルは、湿気が高くゴーグルレンズが曇りやすい場所におけるあらゆる作業に適用することができる。
【図面の簡単な説明】
【００２５】
【図１】本発明の一実施形態に係るゴーグル１の斜視図である。
【図２】送風装置６の構成図である。
【図３】本発明の一実施形態に係るゴーグル１の構成を説明するための図である。
【図４】空気抜き用ギャップ１４を説明するための図である。
【図５】従来技術を説明するための図である。
【図６】従来技術を説明するための図である。
【符号の説明】
【００２６】
１  ゴーグル
２  ゴーグルレンズ
３  ゴーグルレンズパッド
４  ゴーグルレンズフレーム
５  ストラップ
６  送風装置
７  送風チューブ
７ａ  送風チューブ
８  ストラップ取付部
９  駆動部
１０  送風部
１１  スイッチ
１２  軸
１３  連結孔
１４  空気抜き用ギャップ
【図１】
2007075384.tif 000003
【図２】
2007075384.tif 000004
【図３】
2007075384.tif 000005
【図４】
2007075384.tif 000006
【図５】
2007075384.tif 000007
【図６】
2007075384.tif 000008